(57)【要約】      （修正有）【課題】外部に露出させるべき部位の露出方向が互いに異なる回路基板上の複数の部品のそれぞれをケーシングにしっかりと固定し、かつこれらの部品とケーシングとの間の電気的な接続を確実に行う。【解決手段】フロント部材８およびリア部材９によりケーシングを構成し、フロント部材８には、フロント部材８とリア部材９とを接続する際に、フロント部材８に対するリア部材９の位置を調整するための支持穴３２、３４を設ける。支持穴３２、３４の直径は、支持穴３２、３４を介してリア部材９とフロント部材８とを接続するためのねじの直径と、遊び長さと、リア部材９の位置を調整するのに必要な調整長さとを合計した長さに設定する。【選択図】図８
2008065894.tif 000002
【特許請求の範囲】
【請求項１】
外部に露出させるべき露出部位の露出方向が互いに異なる第１部品および第２部品が取り付けられた回路基板を収納するためのケーシングであって、
ベース板と、
前記ベース板に固定され、内面には前記第１部品を接地するための第１接地面が形成され、当該内面には前記第１部品の露出部位を外部に露出させるための穴が形成され、当該内面には前記第１部品をねじ止めするための穴が形成されている第１側板と、
前記ベース板から独立した部材により形成され、内面には前記第２部品を接地するための第２接地面が形成され、当該内面には前記第２部品の露出部位を外部に露出させるための穴が形成され、当該内面には前記第２部品をねじ止めするための穴が形成されている第２側板と、
前記第２側板を前記ベース板に接続する接続機構とを備え、
前記接続機構には、前記第２部品の露出部位の露出方向またはその正反対の方向において、前記ベース板に対する前記第２側板の位置を調整する調整機構が設けられていることを特徴とするケーシング。
【請求項２】
前記接続機構は、
前記ベース板に固定された支持部と、
前記支持部に形成された支持穴と、
前記第２側板に固定された接続部と、
前記接続部に形成された接続穴と、
前記支持穴および前記接続穴を介して前記支持部および前記接続部を互いに接続するねじとを備え、
少なくとも前記第２部品の露出部位の露出方向またはその正反対の方向において、前記支持穴または前記接続穴の直径を、前記ねじの直径と遊び長さと前記第２側板の位置を調整するための調整長さとを合計した長さに設定することにより前記調整機構が形成されていることを特徴とする請求項１に記載のケーシング。
【請求項３】
前記第１側板の内面と前記第２側板の内面とは互いに向かい合っていることを特徴とする請求項１に記載のケーシング
【請求項４】
前記第１部品および前記第２部品はそれぞれ端子であることを特徴とする請求項１に記載のケーシング。
【発明の詳細な説明】
【技術分野】
【０００１】
本発明は、回路基板を収納するためのケーシングに関する。
【背景技術】
【０００２】
例えばＤＶＤレコーダなどのオーディオビジュアル機器は、回路基板をケーシングに収納することにより構成されている。ケーシングは、金属材料により形成され、一般に、板金を折り曲げ加工することにより箱状に形成されている。回路基板には、集積回路、抵抗器、コンデンサー、端子および配線などから構成された電子回路が設けられている。
【０００３】
オーディオビジュアル機器の場合、回路基板に設けられた端子は、主に音声入出力端子または映像入出力端子である。端子は、その接続口がケーシングの側板に形成された穴から機器の外部に露出するように取り付けられている。これにより、機器の外部からプラグを端子に接続することが可能になる。
【０００４】
端子の一端側は回路基板に半田付けされている。これにより、端子は回路基板上に固定されていると共に、回路基板に設けられた配線に電気的に接続されている。また、端子の他端側は、ケーシングの側板の内面にねじ止めされている。これにより、端子はケーシングに固定されていると共に、ケーシングと電気的に接続されている。端子の他端側とケーシングとの電気的な接続は接地を行うためである。
【発明の開示】
【発明が解決しようとする課題】
【０００５】
例えばポータブルＤＶＤレコーダなどの小型のオーディオビジュアル機器では、必要なすべての電気部品および電子部品を１枚の回路基板上に実装することが望ましい。これにより、オーディオビジュアル機器の小型化またはコストダウンを図ることができる。
【０００６】
一方、例えばＤＶＤレコーダなどのオーディオビジュアル機器は、ビデオカメラ、モニタおよびスピーカなどの様々な種類の機器とケーブルを介して接続する機能を持っている。このようなオーディオビジュアル機器では、たくさんの端子を設けることが要求され、このため、端子を例えばフロントパネル側とリアパネル側の双方に配置することが要求される。また、ユーザがプラグを着脱する頻度の低い端子をリアパネル側に配置し、ユーザがプラグを着脱する頻度の高い端子をフロントパネル側に配置すれば、オーディオビジュアル機器の使いやすさを高めることができる。以下、オーディオビジュアル機器のフロントパネル側に配置する端子をフロント端子といい、オーディオビジュアル機器のリアパネル側に配置する端子をリア端子という。
【０００７】
回路基板が１枚であり、かつフロント端子およびリア端子を有するオーディオビジュアル機器は、例えば次のように製造することができる。
【０００８】
まず、回路基板上のフロントパネルに近い部分にフロント端子を配置し、回路基板上のリアパネルに近い部分にリア端子を配置するように、回路基板上における部品のレイアウトを設計する。続いて、このような部品レイアウトに従って、フロント端子、リア端子およびその他の部品を回路基板上に実装する。
【０００９】
一方、板金を折り曲げ加工し、底板および前後左右の４つの側板を有する箱状のケーシングを形成する。ケーシングにおいてフロントパネル側に位置する側板には、フロント端子の接続口を機器の外部に露出させるための穴を形成する。さらに、当該側板にはフロント端子をねじ止めするための穴を形成する。一方、ケーシングにおいてリアパネル側に位置する側板には、リア端子の接続口を機器の外部に露出させるための穴を形成する。さらに、当該側板にはリア端子をねじ止めするための穴を形成する。
【００１０】
続いて、ケーシング内に回路基板を置き、ケーシングの底板上などに形成された取付部にこの回路基板を取り付ける。
【００１１】
回路基板をケーシング内に取り付けた後、ケーシングにおいてフロントパネル側に位置する側板の内面にフロント端子をねじ止めし、これによりフロント端子をケーシングの側板に固定すると共に、フロント端子とケーシングとを電気的に接続する。さらに、ケーシングにおいてリアパネル側に位置する側板の内面にリア端子をねじ止めし、これによりリア端子をケーシングの側板に固定すると共に、リア端子とケーシングとを電気的に接続する。
【００１２】
このようなオーディオビジュアル機器の製造において、次のような問題が生じる。
【００１３】
フロント端子およびリア端子の双方をケーシングの側板にしっかりと固定し、かつこれらの端子とケーシングとを確実に電気的に接続するためには、回路基板をケーシング内に単に取り付けた段階で（つまり各端子とケーシングの側板とのねじ止めを行う前の段階で）、フロント端子とケーシングの側板とをほぼ隙間なく接触させ、かつリア端子とケーシングの側板とをほぼ隙間なく接触させる必要がある。これを実現するためには、回路基板の寸法、各端子の実装位置およびケーシングの寸法などを適切に設計し、さらに、製造時においてこれらの寸法および実装位置を設計通りに高精度に再現する必要がある。
【００１４】
しかし、製造時において回路基板の寸法、各端子の実装位置またはケーシングの寸法を設計通りに高精度に再現することは、製造コスト軽減の要請をも考慮すると容易ではない。
【００１５】
製造時において回路基板の寸法、各端子の実装位置またはケーシングの寸法に誤差が生じ、このため、回路基板をケーシング内に単に取り付けた段階で、フロント端子とケーシングの側板との間に大きな隙間が生じたり、リア端子とケーシングの側板との間に大きな隙間が生じたりすることがある。
【００１６】
このような隙間が生じた状態で、フロント端子およびリア端子をケーシングの側板にねじ止めすると、フロント端子またはリア端子に異常な応力がかかる。この結果、フロント端子またはリア端子を回路基板に固定している半田がはがれるおそれがある。また、フロント端子またはリア端子がねじ止めによってしっかりとケーシングに固定されず、プラグの着脱に対する耐久性が低下するおそれがある。また、フロント端子またはリア端子が確実にケーシングに電気的に接続されず、このため、接地が不十分となり、この結果、不要輻射の増加または回路の静電破壊が生じるおそれがある。
【００１７】
もっとも、このような問題は、回路基板をフロントパネル側基板とリアパネル側基板に分割することによって解決することができる。しかし、回路基板を分割すると、次のような問題が生じる。
【００１８】
すなわち、回路基板を分割すると、回路基板のコストが上昇する。また、分割された基板間を電気的に接続するためにフラットケーブルなどが必要になり、製造が複雑となり、また、コストが上昇する。さらに、フラットケーブルを用いることにより不要輻射が増加し、またフラットケーブルがノイズを拾ってしまうという不都合も生じ得る。
【００１９】
本発明は上記に例示したような問題点に鑑みなされたものであり、本発明の第１の課題は、外部に露出させるべき部位の露出方向が互いに異なる回路基板上の複数の部品のそれぞれをケーシングにしっかりと固定することができ、かつこれらの部品とケーシングとの間の電気的な接続を確実に行うことができるケーシングを提供することにある。
【００２０】
本発明の第２の課題は、回路基板上の部品の半田はがれなど、回路基板または部品が破損するのを防止することができるケーシングを提供することにある。
【課題を解決するための手段】
【００２１】
上記課題を解決するために請求項１に記載のケーシングは、外部に露出させるべき露出部位の露出方向が互いに異なる第１部品および第２部品が取り付けられた回路基板を収納するためのケーシングであって、ベース板と、前記ベース板に固定され、内面には前記第１部品を接地するための第１接地面が形成され、当該内面には前記第１部品の露出部位を外部に露出させるための穴が形成され、当該内面には前記第１部品をねじ止めするための穴が形成されている第１側板と、前記ベース板から独立した部材により形成され、内面には前記第２部品を接地するための第２接地面が形成され、当該内面には前記第２部品の露出部位を外部に露出させるための穴が形成され、当該内面には前記第２部品をねじ止めするための穴が形成されている第２側板と、前記第２側板を前記ベース板に接続する接続機構とを備え、前記接続機構には、前記第２部品の露出部位の露出方向またはその正反対の方向において、前記ベース板に対する前記第２側板の位置を調整する調整機構が設けられている。
【発明を実施するための最良の形態】
【００２２】
以下、本発明の実施の形態について図面を参照しながら説明する。
【００２３】
図１はオーディオビジュアル機器を示している。図１中のオーディオビジュアル機器１は、例えばＤＶＤレコーダである。オーディオビジュアル機器１は、ケーシング２、フロントカバー３およびトップカバー４を備えている。フロントカバー３の前側の外面はフロントパネル５であり、ケーシング２の後ろ側の外面はリアパネル６である。リアパネル６には、デジタル信号出力用の端子１２の接続口１２Ａおよびアナログ信号出力用の端子ユニット１３の３つの接続口１３Ａが露出している。ケーシング２は本発明の実施形態である。
【００２４】
図２は、フロントカバー３およびトップカバー４を取り外した状態のオーディオビジュアル機器１を示している。図２に示すように、ケーシング２内には回路基板７が収納されている。
【００２５】
図３は回路基板７を示している。回路基板７上には電子回路が設けられている。電子回路は、集積回路、抵抗器、コンデンサー、端子１１、端子１２、端子ユニット１３、他の端子および配線などから構成されている。なお、電子回路を構成する電子部品のうち、端子１１、端子１２および端子ユニット１３以外の電子部品は、図示を省略している。
【００２６】
図３に示すように、回路基板７上においてフロンパネル５に近い部分には、例えばデジタル信号入力用の端子１１（例えばＤＶ入力ジャック）が配置されている。端子１１の一端側は、回路基板７上に半田付けされている。これにより、端子１１は回路基板７上に固定されていると共に、回路基板７に設けられた配線に電気的に接続されている。
【００２７】
端子１１の他端側には、プラグを接続するための接続口１１Ａが設けられている。接続口１１Ａは、ケーシング２の側板２２に形成された穴２７（図４参照）を介してオーディオビジュアル機器１の外部に露出する。接続口１１Ａの露出方向は図３中の矢示Ａに示すように前方向である。
【００２８】
また、端子１１の他端側には、端子１１をケーシング２の側板２２の接地面２６にねじ止めするためのねじ止め部１１Bが設けられている。ねじ止め部１１Bは、少なくとも接地面２６と接触する部分が金属材料により形成されており、ねじ止め部１１Ｂを接地面２６に接触させることによって端子１１を接地することができる構造になっている。ねじ止め部１１Bにはねじ穴１１Cが形成されている。
【００２９】
一方、回路基板７上においてリアパネル６に近い部分には、例えばデジタル信号出力用の端子１２（例えば光デジタル音声出力ジャック）が配置されている。端子１２の一端側は、回路基板７上に半田付けされている。これにより、端子１２は回路基板７上に固定されていると共に、回路基板７に設けられた配線に電気的に接続されている。
【００３０】
端子１２の他端側には、プラグを接続するための接続口１２Ａが設けられている。接続口１２Ａは、ケーシング２の側板４１に形成された穴４５（図６参照）を介してオーディオビジュアル機器１の外部に露出する。接続口１２Ａの露出方向は図３中の矢示Ｂに示すように後ろ方向である。
【００３１】
また、端子１２の他端側には、端子１２をケーシング２の側板４１の接地面４４にねじ止めするためのねじ止め部１２Ｂが設けられている。ねじ止め部１２Ｂを接地面４４にねじ止めすることにより端子１２のぐらつきを防止することができる。ねじ止め部１２Ｂにはねじ穴１２Ｃが形成されている。
【００３２】
さらに、回路基板７上においてリアパネル６に近い部分には、例えばアナログ信号出力用の端子ユニット１３（例えばピンジャックユニット）が配置されている。端子ユニット１３の一端側は、回路基板７上に半田付けされている。これにより、端子ユニット１３は回路基板７上に固定されていると共に、回路基板７に設けられた配線に電気的に接続されている。
【００３３】
端子ユニット１３の他端側には、プラグを接続するための３つの接続口１３Ａが設けられている。各接続口１３Ａは、ケーシング２の側板２２に形成された穴４７（図６参照）を介してオーディオビジュアル機器１の外部に露出する。各接続口１３Ａの露出方向は図３中の矢示Ｂに示すように後ろ方向である。
【００３４】
また、端子ユニット１３の他端側には、端子ユニット１３をケーシング２の側板４１の接地面４４にねじ止めするためのねじ止め部１３Ｂが設けられている。ねじ止め部１３Bは、少なくとも接地面４４と接触する部分が金属材料により形成されており、ねじ止め部１３Ｂを接地面４４に接触させることによって端子ユニット１３を接地することができる構造になっている。ねじ止め部１３Ｂにはねじ穴１３Ｃが形成されている。
【００３５】
このように、回路基板７上には、オーディオビジュアル機器１の外部に露出させるべき接続口の露出方向が前方向の端子１１と、オーディオビジュアル機器１の外部に露出させるべき接続口の露出方向が後ろ方向の端子１２および端子ユニット１３とが取り付けられている。つまり、回路基板７上には、接続口（露出部位）の露出方向が互いに異なる端子が存在する。
【００３６】
他方、回路基板７には４つの穴１４が形成されている。各穴１４は矢示Ａ、Ｂ方向に長い。各穴１４は、回路基板７をケーシング２に取り付けるために用いられる。各穴１４の形状が矢示Ａ、Ｂ方向に長いので、回路基板７をケーシング２の取付部３５にねじ６２により取り付けるときに、ケーシング２に対する回路基板７の矢示Ａ、Ｂ方向における位置を調整することができる。
【００３７】
図２に戻り、ケーシング２は、フロントパネル５側に位置するフロント部材８と、リアパネル６を形成するリア部材９とから構成されている。フロント部材８とリア部材９とは互いに独立した部材であり、両者は、後述する組立工程においてねじ６５（図９参照）により互いに接続される。
【００３８】
図４はケーシング２のフロント部材８を示している。図４に示すように、フロント部材８は、底板２１および３つの側板２２、２３、２４を備えている。底板２１はケーシング２の底部を形成する。側板２２はケーシングの前壁を形成する。側板２３および側板２４はケーシング２の左壁および右壁をそれぞれ形成する。なお、左、右は、観察者がフロントパネル５と対面したときを基準に定める。また、底板２１、側板２３および側板２４によりベース板が構成されている。
【００３９】
フロント部材８は金属材料により形成されている。具体的には、フロント部材８は、板金を折り曲げ加工することにより形成されている。すなわち、底板２１および側板２２、２３、２４は、所定の形状に型抜きされた１枚の板金を折り曲げることにより形成されている。この結果、側板２２、２３、２４はそれぞれ底板２１に固定されている。
【００４０】
側板２２の内面２５には、端子１１を接地するための接地面２６が形成されている。また、内面２５には端子１１の接続口１１Ａをオーディオビジュアル機器１の外部に露出させるための穴２７が形成されている。また、内面２５には端子１１のねじ止め部１１Ｂをねじ止めするための穴２８が形成されている。
【００４１】
側板２３においてリアパネル６に近い部分には支持部３１が形成されている。支持部３１は側板２３を形成する板金を折り曲げることにより形成されている。この結果、支持部３１は側板２３に固定されている。支持部３１には支持穴３２が形成されている。
【００４２】
図５は支持穴３２を拡大して示している。支持穴３２の直径は、ねじ６５（図８参照）の直径Ｄ１と遊び長さＤ２とリア部材９の位置を調整するための調整長さＤ３とを合計した長さに設定されている。例えば、ねじ６５の直径Ｄ１は３ｍｍ、遊び長さは０．２ｍｍ、調整長さは０．５ｍｍである。
【００４３】
図４に戻り、側板２４においてリアパネル６に近い部分には、側板２３とほぼ同様に、支持部３３が形成されている。支持部３３には支持穴３４が形成されている。支持穴３４の直径は支持穴３２の直径と同じである。
【００４４】
支持部３１、支持穴３２、支持部３３、支持穴３４は、リア部材９に形成された接続部５１、接続穴５２、接続部５３および接続穴５４（図６参照）並びに２つのねじ６５（図９参照）と共に、リア部材９をフロント部材８に接続するための接続機構を構成している。また、支持穴３２および支持穴３４は、端子１２の接続口１２Ａおよび端子ユニット１３の接続口１３Ａの露出方向およびその正反対の方向においてフロント部材８に対するリア部材９の位置を調整するための調整機構を構成している。
【００４５】
また、フロント部材８には、回路基板７を取り付けるための４つの取付部３５（２つのみ図示）が設けられている。
【００４６】
図６はケーシング２のリア部材９を示している。図６に示すように、リア部材９は、側板４１および上板４２を備えている。側板４１はケーシング２の後壁を形成すると同時にフロントパネル６を形成する。リア部材９とフロント部材８とを接続したとき、側板４１の内面４３はフロント部材８の側板２２の内面２５と互いに向かい合う。
【００４７】
リア部材９は金属材料により形成されている。具体的には、リア部材９は、板金を折り曲げ加工することにより形成されている。
【００４８】
側板４１の内面４３には、端子１２および端子ユニット１３を接地するための接地面４４が形成されている。また、内面４３には端子１２の接続口１２Ａをオーディオビジュアル機器１の外部に露出させるための穴４５が形成されている。また、内面４３には端子１２のねじ止め部１２Ｂをねじ止めするための穴４６が形成されている。さらに、内面４３には端子ユニット１３の３つの接続口１３Ａをオーディオビジュアル機器１の外部にそれぞれ露出させるための穴４７が形成されている。また、内面４３には端子ユニット１３のねじ止め部１３Ｂをねじ止めするための穴４８が形成されている。
【００４９】
また、側板４１の右側（フロントパネル５と対面したときの右側）の端部には接続部５１が形成されている。接続部５１は側板４１を形成する板金を折り曲げることにより形成されている。この結果、接続部５１は側板４１に固定されている。
【００５０】
接続部５１には接続穴５２が形成されている。接続穴５２内にはねじが切られている。接続穴５２の直径は、ねじ６５（図９参照）を適切にねじ止めすることができるように設定されており、支持穴３２の直径よりも小さい。
【００５１】
側板４１の左側の端部には、接続部５３および接続穴５４が形成されている。接続部５３および接続穴５４は接続部５１および接続穴５２とそれぞれ同じである。
【００５２】
図７ないし図９は、回路基板７をケーシング２内に収納するための組立工程を示している。
【００５３】
組立工程において、まず、図７に示すように、フロント部材８の取付部３５上に回路基板７を置く。続いて、端子１１の接続口１１Ａを側板２２の穴２７に合わせるように回路基板７の位置を調整する（図３および図４参照）。続いて、回路基板７を矢示Ａ方向（接続口１１の露出方向）に押し、端子１１のねじ止め部１１Ｂを側板２２の接地面２６に接触させる。
【００５４】
続いて、ねじ６１を側板２２の穴２８（図４参照）に通し、これを端子１１のねじ穴１１Ｃに挿入する。そして、端子１１が側板２２に強固に固定され、かつねじ止め部１１Ｂと接地面２６とが確実に電気的に接続されるように、ねじ６１を締める。
【００５５】
続いて、ねじ６２を回路基板７の穴１４に通し、これらを取付部３５に形成されたねじ穴に挿入する。そして、回路基板７が取付部３５に強固に固定されるように、ねじ６２を締める。なお、ねじ６２を取り付けてから、ねじ６１を取り付けてもよい。
【００５６】
続いて、図８に示すように、リア部材９をフロント部材８に嵌める。すなわち、リア部材９の上板４２をフロント部材８の側板２３と側板２４との間に挿入し、リア部材９を矢示Ａ方向にスライドさせる。そして、リア部材９の穴４５、４７と、端子１２の接続口１２Ａ、端子ユニット１３の接続口１３Ａとを合わせ、端子１２のねじ止め部１２Ｂおよび端子ユニット１３のねじ止め部１３Ｂをリア部材９の側板４１の接地面４４に接触させる。このとき、リア部材９の接続部５１がフロント部材８の支持部３１と重なり合い、リア部材９の接続部５３がフロント部材８の支持部３３と重なり合うようにリア部材９の位置を調整する。
【００５７】
続いて、ねじ６３およびねじ６４を側板４１の穴４６および穴４８に通し、これらを端子１２のねじ穴１２Ｃおよび端子ユニット１３のねじ穴１３Ｃに挿入し、締める。ねじ６３およびねじ６４の締め付けは、端子１２および端子ユニット１３が側板４１に強固に固定され、かつねじ止め部１３Ｂが接地面４４に確実に電気的に接続されるように行う。
【００５８】
続いて、図９に示すように、ねじ６５をフロント部材９の支持穴３２に通し、これをリア部材９の接続穴５２（図６参照）に挿入し、締める。同様に、ねじ６５をフロント部材９の支持穴３４に通し、これをリア部材９の接続穴５４（図６参照）に挿入し、締める。これにより、接続部５１、５３と支持部３１、３３とがそれぞれ接続され、この結果、リア部材９とフロント部材８とが接続され、ケーシング２が完成する。
【００５９】
図１０は、調整機構である支持穴３２、３４の調整機能を示している。
【００６０】
回路基板７の前後方向（矢示Ａ、Ｂ方向）における寸法の誤差、端子１１、端子１２または端子ユニット１３の前後方向における実装位置の誤差、フロント部材８の前後方向における寸法の誤差などが生じることがある。
【００６１】
例えば、このような誤差が生じたため、端子１１をフロント部材８の側板２２にねじ止めした後、回路基板７、端子１２（および端子ユニット１３）の位置が矢示Ａ方向に長さＬずれたとする。図１０では、このように位置ずれした回路基板７および端子１２などを二点鎖線で示している。
【００６２】
この状態でリア部材９の側板４１が端子１２（および端子ユニット１３）にねじ止めされると、端子１２（および端子ユニット１３）の位置ずれに追従して、リア部材９も矢示Ａ方向に長さＬずれ、これと同時に、リア部材９の接続穴５２（５４）も矢示Ａ方向に長さＬずれる。この結果、ねじ６５も矢示Ａ方向に長さＬずれることになる。
【００６３】
しかし、フロント部材８の支持穴３２（３４）の直径は、図５に示すように、ねじ６５の直径Ｄ１と遊び長さＤ２と調整長さＤ３とを合計した長さに設定されている。このため、位置ずれの長さＬが調整長さＤ３よりも短い限り、ねじ６５を支持穴３２（３４）に通して接続穴５２（５４）に正常に取り付けることができる。
【００６４】
このように、支持穴３２（３４）の調整機能によれば、回路基板７の寸法誤差、端子１１、端子１２または端子ユニット１３の実装位置の誤差、フロント部材８の誤差などに応じて、リア部材９をフロント部材８に対して矢示Ａ、Ｂ方向（前後方向、つまり端子１２Ａの接続口１２Ａおよび端子ユニット１３の接続口１３Ａの露出方向およびその正反対の方向）にスライド移動させることができる。
【００６５】
以上説明したとおり、ケーシング２によれば、互いに独立した部材であるフロント部材８およびリア部材９により構成され、フロント部材８とリア部材９とを互いに接続する際に、フロント部材８に対するリア部材９の位置を支持穴３２、３４（調整機構）により調整することができる。
【００６６】
これにより、回路基板７の寸法誤差、各端子１１、１２、端子ユニット１３の実装位置の誤差、ケーシング２の寸法誤差などが生じても、回路基板７上に設けられた端子１１、１２および端子ユニット１３のそれぞれをケーシング２の側板２２、４１に強固に固定することができ、かつ、端子１１および端子ユニット１３のそれぞれをケーシング２の接地面２６、４４に確実に電気的に接続することができる。
【００６７】
すなわち、回路基板７上に設けられた端子１１の接続口１１Ａの露出方向は、同じ回路基板７上に設けられた端子１２および端子ユニット１３の接続口１２Ａ、１３Ａの露出方向と正反対である。このため、互いに向かい合う側板２２の内面２５および側板４１の内面４３のうち、端子１１は内面２５に固定および接地する必要があり、端子１２は内面４３に固定する必要があり、端子ユニット１３は内面４３に固定および接地する必要がある。このような場合でも、回路基板７の寸法誤差、各端子の実装位置の誤差、ケーシング２の寸法誤差などに応じて、リア部材９をスライド移動させ、これにより、端子１１、１２および端子ユニット１３とケーシング２との間の強固な固定および確実な電気的接続を実現することができる。
【００６８】
したがって、ケーシング２によれば、端子１１、１２および端子ユニット１３をケーシング２にねじ止めすることによって端子１１、１２または端子ユニット１３に異常な応力がかかるのを防止することできる。これにより、端子１１、１２または端子ユニット１３を回路基板７に固定している半田がはがれるなどの破損を防止することができる。
【００６９】
また、ケーシング２によれば、端子１１、１２および端子ユニット１３をケーシング２に強固に固定することができるので、プラグ着脱に対する端子１１、１２および端子ユニット１３の耐久性を高めることができる。
【００７０】
また、ケーシング２によれば、端子１１および端子ユニット１３をケーシング２に確実に電気的に接続することができるので、端子１１および端子ユニット１３の接地を確実に行うことができる。これにより、不要輻射の抑制、および回路基板７上に形成された電子回路の静電破壊の防止を図ることができる。
【００７１】
また、ケーシング２によれば、フロント部材８に取り付けられた回路基板７に対し、リア部材９がスライド移動するので、回路基板７をフロンパネル側基板とリアパネル側基板とに分割しなくても、各端子のケーシング２への強固な固定と確実な電気的接続を実現することができる。したがって、回路基板の分割によって生じ得るコストの上昇、不要輻射の増加およびノイズの増加を防止することができる。
【００７２】
なお、上述した実施形態では、図５に示すように、調整機構である支持穴３２（３４）を円形に形成し、支持穴３２（３４）の直径を、ねじ６５の直径Ｄ１と遊び長さＤ２と調整長さＤ３とを合計した長さに設定する場合を例にあげた。しかし、本発明はこれに限られない。図１１に示すように、支持穴７１を長穴形状に形成し、端子１２の接続口１２Ａおよび端子ユニット１３の接続口１３Ａの露出方向およびその正反対の方向、つまり調整機構によってリア部材９をスライド移動させるべき方向に限り、支持穴７１の直径をＤ１、Ｄ２およびＤ３の合計長に設定してもよい。
【００７３】
また、上述した実施形態では、リア部材９の位置を調整する調整機構を、フロント部材８の支持穴３２（３４）によって実現する場合を例にあげた。しかし、本発明はこれに限られない。リア部材９の接続穴５２（５４）によって調整機構を実現してもよい。この場合には、接続穴５２（５４）の直径をＤ１、Ｄ２およびＤ３の合計長に設定する。なお、この場合には、接続穴５２（５４）にねじを切らない。ねじ６５としてボルトおよびナットを利用する。
【００７４】
また、上述した実施形態では、図６に示すように上板４２を有するリア部材９を例にあげた。しかし、本発明はこれに限られない。図１２に示すリア部材８０のように、上板を排除してもよい。
【００７５】
また、上述した実施形態では、図３に示すように、接続口の露出方向が互いに正反対である端子１１、１２などが取り付けられた回路基板７をケーシング２に収納する場合を例にあげた。すなわち、上述した実施形態では、図８に示すように、端子１１をねじ止めすべき側板２２の内面２５と、端子１２および端子ユニット１３をねじ止めすべき側板４１の内面４３とが互いに向かい合っている場合を例にあげた。しかし、本発明はこれに限られない。本発明は、回路基板上に設けられた端子の接続口の露出方向が異なる方向を向いており、このため、各端子をねじ止めすべき側板内面の方向が異なる場合に広く適用することができる。
【００７６】
例えば図１３に示すように、回路基板１７０上に設けられた端子１１の接続口１１の露出方向と、端子１２および端子ユニット１３の接続口１２Ａ、１３Ａの露出方向とが互いに９０度異なる場合でも本発明を適用することができる。この場合には、ケーシング１００のフロント部材１２０における側板１２１に、端子１１の接続口１１Ａを外部に露出させるための穴と、端子１１のねじ止め部１１Ｂをねじ止めするための穴を形成する。そして、組立工程では、側板１２１の内面１２２に形成された接地面１２３に端子１１を接触させつつ、端子１１を側板１２１にねじ止めする。その後、端子１２および端子ユニット１３をリア部材９の側板４１にねじ止めし、続いてリア部材９とフロント部材１２０とを接続する。
【００７７】
また、上述した実施形態では、ケーシング２をフロント部材８およびリア部材９に２分割する場合を例にあげた。しかし、本発明はこれに限られない。回路基板の形状や、回路基板上における端子の配置などに応じて、ケーシングを３つ以上の部材に分割してもよい。
【００７８】
例えば図１４に示すように、ケーシング２００を、フロント部材２１０、第１リア部材２２０および第２リア部材２３０に分割してもよい。この場合には、例えば、フロント部材２１０には、左右の側板２１１、２１２、支持部２１３、２１４、２１５、および支持穴２１６、２１７、２１８、２１９などを設ける。第１リア部２２０には、側板２２１、穴２２２、２２３、接続部２２４、２２５および接続穴２２６などを設ける。第２リア部材２３０には、側板２３１、穴２３２、２３３、接続部２３４、２３５および接続穴２３６などを設ける。
【００７９】
また、上述した実施形態では、端子の接続口の露出方向が２通りの場合を例にあげた。しかし、本発明はこれに限られない。端子の接続口の露出方向が３通り以上の場合でも、本発明を適用することができる。例えば、第１端子の接続口の露出方向が前方向であり、第２端子の接続口の露出方向が右方向であり、第３端子の接続口の露出方向が左方向である場合でも、本発明を適用することができる。
【００８０】
また、上述した実施形態では、電子回路を構成する端子１１、端子１２および端子ユニット１３が設けられた回路基板７をケーシング２に収納する場合を例にあげた。しかし、本発明はこれに限られない。本発明は、露出部位があり、かつケーシングの側板に接地が必要な端子以外の部品が設けられた回路基板を収納するケーシングにも適用することができる。
【００８１】
また、上述した実施形態では、回路基板７上に設けられた端子をケーシング２の側板にねじ止めする場合を例にあげた。しかし、本発明は、例えば上板と底板とにそれぞれ端子をねじ止めする場合にも適用することができる。
【００８２】
また、端子１１、１２などとケーシング２とを接続するねじ６１、６３、６４や、フロント部材８およびリア部材９とを接続するねじ６５には、小ねじ、止めねじ、タッピンねじ、木ねじ、ボルト・ナットのほか、部品の固定および部品の接地を可能にする、ねじに類するあらゆる接続手段が含まれる。
【００８３】
また、図８中の端子１１が第１部品の具体例であり、端子１２および端子ユニット１３がそれぞれ第２部品の具体例であり、接続口１１Ａ、１２Ａ、１３Ａが露出部位の具体例である。また、側板２２が第１側板の具体例であり、側板４１が第２側板の具体例である。また、図１３中の側板１２１が第１側板の他の具体例である。また、図１４中の側板２２１、２３１がそれぞれ第２側板の具体例である。
【００８４】
また、本発明は、請求の範囲および明細書全体から読み取るこのできる発明の要旨または思想に反しない範囲で適宜変更可能であり、そのような変更を伴うケーシングもまた本発明の技術思想に含まれる。
【図面の簡単な説明】
【００８５】
【図１】本発明のケーシングの実施形態を用いたオーディオビジュアル機器を示す斜視図である。
【図２】図１中のオーディオビジュアル機器のフロントカバーおよびトップカバーを取り外した状態を示す斜視図である。
【図３】図１中のオーディオビジュアル機器の回路基板を示す斜視図である。
【図４】図１中のオーディオビジュアル機器に用いられている本発明の実施形態であるケーシングのフロント部材を示す斜視図である。
【図５】図４中のフロント部材の支持穴を示す説明図である。
【図６】図１中のオーディオビジュアル機器に用いられている本発明の実施形態であるケーシングのリア部材を示す斜視図である。
【図７】本発明の実施形態であるケーシングの組立工程を示す斜視図である。
【図８】図７に続く組立工程を示す斜視図である。
【図９】図８に続く組立工程を示す斜視図である。
【図１０】本発明の実施形態であるケーシングの調整機能を示す説明図である。
【図１１】本発明のケーシングにおける支持穴の他の実施形態を示す説明図である。
【図１２】本発明のケーシングにおけるリア部材の他の実施形態を示す斜視図である。
【図１３】本発明のケーシングの他の実施形態を示す斜視図である。
【図１４】本発明のケーシングのさらに別の実施形態を示す斜視図である。
【符号の説明】
【００８６】
２、１００、２００  ケーシング
７、１７０、２０７  回路基板
８、１２０、２１０  フロント部材
９、８０、２２０、２３０  リア部材
１１、１２  端子
１３  端子ユニット
１１Ａ、１２Ａ、１３Ａ  接続口
１１Ｂ、１２Ｂ、１３Ｂ  ねじ止め部
１１Ｃ、１２Ｃ、１３Ｃ  ねじ穴
２１  底板
２２、２３、２４、４１、１２１、２１１、２１２、２２１、２３１  側板
２５、４３、１２２  内面
２６、４４、１２３  接地面
２７、２８、４５、４６、４７、４８、２２２、２２３、２３２、２３３  穴
３１、３３、２１３、２１４、２１５  支持部
３２、３４、７１、２１６、２１７、１２８、２１９  支持穴
５１、５３、２２４、２２５、２３４、２３５  接続部
５２、５４、２２６、２３６  接続穴
６１、６３、６４、６５  ねじ
【図１】
2008065894.tif 000003
【図２】
2008065894.tif 000004
【図３】
2008065894.tif 000005
【図４】
2008065894.tif 000006
【図５】
2008065894.tif 000007
【図６】
2008065894.tif 000008
【図７】
2008065894.tif 000009
【図８】
2008065894.tif 000010
【図９】
2008065894.tif 000011
【図１０】
2008065894.tif 000012
【図１１】
2008065894.tif 000013
【図１２】
2008065894.tif 000014
【図１３】
2008065894.tif 000015
【図１４】
2008065894.tif 000016